(57)【要約】【課題】ホストシステムとターゲットシステムとの間の無線通信をサポートする通信デバイスを提供する。【解決手段】該通信デバイスは、該ホストシステムのバーチャルな通信ポートを介してデータ信号を交換するホストアダプタと、該ホストアダプタを用いてシリアルデータ信号を交換する無線トランシーバとを備え、該ホストアダプタは、該ホストシステムと結合されたときに、ハードウェアファイヤウォールとして動作し、該無線トランシーバを該ホストシステムのオペレーティングシステムに対して見えなくする。【選択図】図１０Ａ
2007280403.tif 000002
【特許請求の範囲】
【請求項１】
ホストシステムとターゲットシステムとの間の無線通信をサポートする通信デバイスであって、該通信デバイスは、
該ホストシステムのバーチャルな通信ポートを介してデータ信号を交換するホストアダプタであって、該ホストアダプタは該データ信号とシリアルデータ信号との間の転換をサポートする、ホストアダプタと、
該ホストアダプタを用いて該シリアルデータ信号を交換する無線トランシーバであって、該無線トランシーバは、該ホストアダプタから受信した該シリアルデータ信号を、該ターゲットシステムに対するブロードキャストのためのアウトゴーイング無線通信信号に転換し、かつ該ターゲットシステムから受信したインカミング無線通信信号を、該ホストアダプタに対する伝送のための該シリアルデータ信号に転換する、トランシーバと
を備え、
該ホストアダプタは、該ホストシステムと結合されたときに、ハードウェアファイヤウォールとして動作し、該無線トランシーバを該ホストシステムのオペレーティングシステムに対して見えなくする、通信デバイス。
【請求項２】
前記通信デバイスは、前記ホストシステムのユニバーサルシリアルバス（ＵＳＢ）通信ポートと結合し、該ホストシステムの前記データ信号は、ＵＳＢデータ信号を包含する、請求項１に記載の通信デバイス。
【請求項３】
前記ホストアダプタは、前記ＵＳＢデータ信号と前記シリアルデータ信号との間における転換をサポートするＵＳＢツーシリアルアダプタを含む、請求項２に記載の通信デバイス。
【請求項４】
前記ホストアダプタは、前記ホストシステムのための複数のバーチャルな通信ポートを提供する、請求項１に記載の通信デバイス。
【請求項５】
前記ホストシステムに対するすべての通信機能は、前記バーチャルな通信ポートを介して実行される、請求項１に記載の通信デバイス。
【請求項６】
前記無線トランシーバは、ラジオ周波数通信と赤外線通信とから成るグループから選択される無線通信をサポートする、請求項１に記載の通信デバイス。
【請求項７】
前記ラジオ周波数通信は、Ｂｌｕｅｔｏｏｔｈ（登録商標）規格に従うラジオ周波数通信を包含する、請求項６に記載の通信デバイス。
【請求項８】
通信ハブをさらに備え、前記ホストアダプタは、該通信ハブを介して前記ホストシステムと通信する、請求項１に記載の通信デバイス。
【請求項９】
前記通信ハブは、前記ホストアダプタおよび前記無線トランシーバと、少なくとも部分的には一体化される、請求項８に記載の通信デバイス。
【請求項１０】
メモリカードリーダーをさらに備え、該メモリカードリーダーは、前記通信ハブを介して前記ホストアダプタと通信する、請求項８に記載の通信デバイス。
【請求項１１】
前記メモリカードリーダーは、セキュアデジタルカードリーダーを備える、請求項１０に記載の通信デバイス。
【請求項１２】
前記メモリカードリーダーは、大容量の記憶能力を有するリムーバブルメモリカードに適応する、請求項１０に記載の通信デバイス。
【請求項１３】
前記メモリカードリーダーは、前記ホストアダプタおよび前記無線トランシーバと、少なくとも部分的には一体化される、請求項１０に記載の通信デバイス。
【請求項１４】
読み取り専用メモリ（ＲＯＭ）システムをさらに備え、該ＲＯＭシステムは、前記通信ハブを介して前記ホストアダプタと通信する、請求項８に記載の通信デバイス。
【請求項１５】
前記ＲＯＭシステムは、固定フラッシュアップグレード可能ＲＯＭシステムを備える、請求項１４に記載の通信デバイス。
【請求項１６】
前記ＲＯＭシステムは、前記通信デバイスのためのアプリケーションソフトウェアを格納する、請求項１４に記載の通信デバイス。
【請求項１７】
前記ＲＯＭシステムは、前記ホストアダプタおよび前記無線トランシーバと、少なくとも部分的には一体化される、請求項１４に記載の通信デバイス。
【請求項１８】
前記ホストアダプタは高速ホストアダプタを備え、前記無線トランシーバは高速無線トランシーバを備える、請求項１に記載の通信デバイス。
【請求項１９】
前記高速無線トランシーバは、Ｂｌｕｅｔｏｏｔｈ（登録商標）規格およびウルトラワイドバンド（ＵＷＢ）規格から成るグループから選択される規格に従う高速無線通信をサポートする、請求項１８に記載の通信デバイス。
【請求項２０】
前記高速ホストアダプタは、前記ホストシステムの前記オペレーティングシステムに対して、ＵＳＢ端末デバイスのように見えるようにプログラムされるホストブリッジコントローラを含む、請求項１８に記載の通信デバイス。
【請求項２１】
前記ホストブリッジコントローラは、前記高速無線トランシーバと少なくとも部分的には一体化される、請求項２０に記載の通信デバイス。
【請求項２２】
前記高速ホストアダプタは、ホストツーホストブリッジコントローラを含み、該ホストツーホストブリッジコントローラは、第２のホストシステムをエミュレートするインターフェースシステムを介して前記無線トランシーバと通信し、その結果として、該ホストツーホストブリッジコントローラおよび該インターフェースシステムは、前記ハードウェアファイヤウォールのように動作し、該インターフェースシステムは、該ホストツーホストブリッジコントローラと該高速無線トランシーバとの間の前記シリアルデータ信号をチャネルし、その結果、該データ信号は、該インターフェースシステムと前記ホストシステムとの間で高速で交換されることができる、請求項１８に記載の通信デバイス。
【請求項２３】
前記インターフェースシステムは、前記ホストツーホストブリッジコントローラおよび前記高速無線トランシーバと、少なくとも部分的には一体化される、請求項２２に記載の通信デバイス。
【請求項２４】
前記無線トランシーバは、前記ホストアダプタと、少なくとも部分的には一体化される、請求項１に記載の通信デバイス。
【請求項２５】
前記ホストアダプタおよび前記無線トランシーバは、集積回路の中に一体化される、請求項２４に記載の通信デバイス。
【請求項２６】
ホストシステムとターゲットシステムとの間の無線通信をサポートする通信デバイスであって、該通信デバイスは、
該ホストシステムのバーチャルな通信ポートを介してＵＳＢデータ信号を交換するＵＳＢツーシリアルアダプタであって、該ＵＳＢツーシリアルアダプタは、該ホストシステムのＵＳＢ通信ポートと結合され、およびＵＳＢデータ信号とシリアルデータ信号との間の転換をサポートする、アダプタと、
該ＵＳＢツーシリアルアダプタを用いて該シリアルデータ信号を交換するシリアルＢｌｕｅｔｏｏｔｈ（登録商標）アダプタであって、該シリアルＢｌｕｅｔｏｏｔｈ（登録商標）アダプタは、該ＵＳＢツーシリアルアダプタから受信した該シリアルデータ信号を、アンテナシステムを介して該ターゲットシステムに対するブロードキャストのためのアウトゴーイングＢｌｕｅｔｏｏｔｈ（登録商標）通信信号に転換し、かつ該アンテナシステムを介して該ターゲットシステムから受信したインカミングＢｌｕｅｔｏｏｔｈ（登録商標）通信信号を、該ＵＳＢツーシリアルアダプタに対する伝送のための該シリアルデータ信号に転換する、アダプタと
を備え、
該ＵＳＢツーシリアルアダプタは、該ホストシステムと結合されたときには、ハードウェアファイヤウォールとして動作し、該シリアルＢｌｕｅｔｏｏｔｈ（登録商標）アダプタを、該ホストシステムのオペレーティングシステムに対して見えなくする、通信デバイス。
【請求項２７】
通信システムであって、
ユニバーサルシリアルバス（ＵＳＢ）通信ハブと、
ホストシステムとターゲットシステムとの間の高速無線通信をサポートする通信デバイスであって、該通信デバイスは、
該ホストシステムのオペレーティングシステムに対してＵＳＢ端末デバイスのように見えるようにプログラムされ、および該ホストシステムのバーチャルな通信ポートを介してＵＳＢデータ信号を高速データレートで交換する高速ＵＳＢホストブリッジコントローラであって、該高速ＵＳＢホストブリッジコントローラは、該ＵＳＢ通信ハブを介して該ホストシステムのＵＳＢ通信ポートと結合され、および該ＵＳＢデータ信号とシリアルデータ信号との間における転換をサポートする、高速ＵＳＢホストブリッジコントローラと、
該シリアルデータ信号を該高速ＵＳＢホストブリッジコントローラと交換する高速シリアルＢｌｕｅｔｏｏｔｈ（登録商標）アダプタであって、該高速シリアルＢｌｕｅｔｏｏｔｈ（登録商標）アダプタは、該高速ＵＳＢホストブリッジコントローラから受信した該シリアルデータ信号を、アウトゴーイング高速Ｂｌｕｅｔｏｏｔｈ（登録商標）通信信号に転換し、かつインカミング高速Ｂｌｕｅｔｏｏｔｈ（登録商標）通信信号を該高速ＵＳＢホストブリッジコントローラに対する伝送のための該シリアルデータ信号に転換する、高速シリアルＢｌｕｅｔｏｏｔｈ（登録商標）アダプタと、
該高速シリアルＢｌｕｅｔｏｏｔｈ（登録商標）アダプタと結合されるアンテナシステムであって、該アンテナシステムは、該ターゲットシステムに対してアウトゴーイング高速Ｂｌｕｅｔｏｏｔｈ（登録商標）通信信号をブロードキャストし、および該ターゲットシステムから受信したインカミング高速Ｂｌｕｅｔｏｏｔｈ（登録商標）通信信号を受信する、アンテナシステムと
を含む、通信デバイスと、
該通信デバイスのためのアプリケーションソフトウェアを格納し、および該ＵＳＢ通信ハブを介して該通信デバイスと通信する固定フラッシュアップグレード可能なＲＯＭと
を備え、
該高速ＵＳＢホストブリッジコントローラは、該ホストシステムと結合されたときに、ハードウェアファイヤウォールとして動作し、該高速シリアルＢｌｕｅｔｏｏｔｈ（登録商標）アダプタを、該ホストシステムのオペレーティングシステムに対して見えなくする、通信システム。
【請求項２８】
通信システムであって、
ユニバーサルシリアルバス（ＵＳＢ）通信ハブと、
第１のホストシステムとターゲットシステムとの間の高速無線通信をサポートする通信デバイスであって、該通信デバイスは、
該第１のホストシステムのバーチャルな通信ポートを介してＵＳＢデータ信号を交換する高速ＵＳＢホストツーホストブリッジコントローラであって、該ＵＳＢホストツーホストブリッジコントローラは、該ＵＳＢ通信ハブを介して該第１のホストシステムのＵＳＢ通信ポートと結合され、および該ＵＳＢデータ信号とシリアルデータ信号との間における転換をサポートする、高速ＵＳＢホストツーホストブリッジコントローラと、
第２のホストシステムをエミュレートし、および該ＵＳＢホストツーホストブリッジコントローラと高速シリアルＢｌｕｅｔｏｏｔｈ（登録商標）アダプタとの間の該シリアルデータ信号をチャネルする、インターフェースシステムであって、該シリアルＢｌｕｅｔｏｏｔｈ（登録商標）アダプタは、該ＵＳＢホストツーホストブリッジコントローラから受信した該シリアルデータ信号を、アウトゴーイング高速Ｂｌｕｅｔｏｏｔｈ（登録商標）通信信号に転換し、かつインカミング高速Ｂｌｕｅｔｏｏｔｈ（登録商標）通信信号を、該ＵＳＢホストツーホストブリッジコントローラに対して伝送するための該シリアルデータに転換する、インターフェースシステムと、
該シリアルＢｌｕｅｔｏｏｔｈ（登録商標）アダプタと結合されるアンテナシステムであって、該アンテナシステムは、該アウトゴーイング高速Ｂｌｕｅｔｏｏｔｈ（登録商標）通信信号を該ターゲットシステムにブロードキャストし、かつ該ターゲットシステムから受信した該インカミング高速Ｂｌｕｅｔｏｏｔｈ（登録商標）通信信号を受信する、アンテナシステムと
を含む、通信デバイスと
を備え、
該ＵＳＢホストツーホストブリッジコントローラおよび該インターフェースシステムは、該第１のホストシステムと結合されたときに、ハードウェアファイヤウォールとして動作し、該第１のホストシステムの該オペレーティングシステムに対して、該シリアルＢｌｕｅｔｏｏｔｈ（登録商標）アダプタを見えなくする、通信システム。
【発明の詳細な説明】
【技術分野】
【０００１】
（関連出願の相互参照）
本出願は、米国仮特許出願第６０／７９１，３７０号（２００６年４月１１出願）に基づく優先権を主張する。先の出願に基づく優先権が明示的に主張され、先の出願の開示は、その全体において本明細書で参照により援用される。
【０００２】
（分野）
本発明は、概して無線通信に関し、より特に、それに限るものではないが、Ｂｌｕｅｔｏｏｔｈ（登録商標）規格で動作する無線のデバイスおよびシステムに関する。
【背景技術】
【０００３】
（背景）
Ｂｌｕｅｔｏｏｔｈ（登録商標）は、歴史上最も広く生産される技術規格の１つであり、２００５年には約３億台のデバイスが出荷され、２００６年には５億台が見込まれ、２００８年までには１０億台の製品が予想されている。
【０００４】
１９９０年代末期のその開始から、Ｂｌｕｅｔｏｏｔｈ（登録商標）が約束したことは、以来ずっと接続性であり、特にパーソナルエリアネットワーキング（ＰＡＮ）への接続性であり、そこでは、ユーザのＢｌｕｅｔｏｏｔｈ（登録商標）デバイス付近の短距離範囲（１０ｍまたは１００ｍ）内で、Ｂｌｕｅｔｏｏｔｈ（登録商標）によって可能化されるコンピュータ、キオスク、ハンドヘルド製品、および様々な他のデバイスに、ユーザはアドホックな接続をする。
【０００５】
しかし、Ｂｌｕｅｔｏｏｔｈ（登録商標）の途方もない成長の背後にある原動力のほとんどは、技術の別の属性だけから来ており、すなわちそれは、無線のマウス、キーボード、および他のコンピュータ周辺機器、ならびに、特に、セル電話、スマートフォンなどにおけるモバイル電話技術のための無線ヘッドセットのための、ケーブルの代替である。容易なＰＡＮ接続性に対するＢｌｕｅｔｏｏｔｈ（登録商標）の約束について言えば、１９９９年の最初の公表後７年以上を経て、多くが実現されないままである。
【０００６】
本発明の発明者およびその会社は、所与のチャネル、システム、または技術のために、簡単な利用、安全かつロバストな接続、および最大限のデータスループットが目的とされる、多くの新規かつ有用な製品および技術を生産し、コンピュータおよび通信デバイスの接続性に長く専念してきた。結果として、規格がアナウンスされたほぼその頃から、Ｂｌｕｅｔｏｏｔｈ（登録商標）の約束に関心を引かれたのは自然であった。
【０００７】
コンピュータ、パーソナルディジタルアシスタント（ＰＤＡ）、スマートフォンなどの、実際または仮想のＣＯＭポートを占有するＢｌｕｅｔｏｏｔｈ（登録商標）シリアル通信ポート（ＳＰＰ）規格にアクセスするための、Ｂｌｕｅｔｏｏｔｈ（登録商標）ユーザの経験および所有の入力／出力（Ｉ／Ｏ）ミドルウェアを最大化するために、設計アプリケーションレベルのソフトウェアが開発されてきた。
【０００８】
このソフトウェアが有用であるのと同じくらいに、市場への道を模索するシステムおよびデバイスにおけるＢｌｕｅｔｏｏｔｈ（登録商標）の接続性について、ユーザの受け入れに対して他の課題が残った。２００３年、本出願の出願人は、Ｂｌｕｅｔｏｏｔｈ（登録商標）デバイスへのオンデバイスメモリの追加に焦点を当て、「Ｃｏｍｍｕｎｉｃａｔｉｏｎ  Ｄｅｖｉｃｅｓ  ｗｉｔｈ  Ｓｅｌｆ−Ｃｏｎｔａｉｎｅｄ  Ｓｏｆｔｗａｒｅ」と題し、米国特許商標庁（ＵＳＰＴＯ）に仮特許出願（出願第６０／４５２，２２０号、出願日２００３年３月５日）を行った。内蔵型メモリ（ｓｅｌｆ−ｃｏｎｔａｉｎｅｄ  ｍｅｍｏｒｙ）は、ユーザのファイル、プレゼンテーション、写真、音楽などのために利用可能な十分なスペースを用いて、アプリケーション、インストールソフトウェアおよびドキュメンテーションを格納した。以下の先行技術および先行開示のセクションでは、さらに詳しくこれらの開発が説明される。
【０００９】
ユーザフレンドリなアプリケーションおよびビルトインメモリは、パーソナルエリアネットワークおよびアドホックな接続性にとって、Ｂｌｕｅｔｏｏｔｈ（登録商標）をかなりの程度まで強力にしたが、インストレーションおよびセットアップにはかなりの困難が残り、最も粘り強くかつ「オタク」のユーザを除けば皆を驚かせた。有力なＷｉｄｃｏｍｍ（登録商標）インストールソフトウェアは扱いにくく、しばしば不安定であったし、ときおり機能しときおり機能せず、最近のバージョンのＷｉｎｄｏｗｓ（登録商標）ＸＰオペレーティングシステム（ＯＳ）を用いるコンピュータにおいては、特にそうであった。
【００１０】
Ｗｉｎｄｏｗｓ（登録商標）ＸＰ、サービスパック２（ＳＰ２）の開始以来、Ｂｌｕｅｔｏｏｔｈ（登録商標）デバイスは、ＯＳによって自動的に認識されインストールされる「プラグアンドプレイ」の可能性をある程度まで想定している。この今流行のケースにおいては、Ｗｉｄｃｏｍｍおよび他の産業デバイスは、Ｗｉｎｄｏｗｓ（登録商標）によってはもはや認識されないが、Ｗｉｎｄｏｗｓ（登録商標）は、それ独自のプロファイル限定されたＢｌｕｅｔｏｏｔｈ（登録商標）ドライバをインストールし、それは、複雑さおよびあわれなユーザの混乱をさらに追加する。
【００１１】
Ｗｉｎｄｏｗｓ（登録商標）ＸＰ／ＳＰ２の下で、すべてのリモートのＢｌｕｅｔｏｏｔｈ（登録商標）デバイスが、マスタ（Ｗｉｎｄｏｗｓ（登録商標）における「アウトゴーイング」モードを言う）として１つのＣＯＭポート、およびスレーブ（「インカミング」）としてそれとは別個のＣＯＭポートを占有せねばならない場合を考えてみるとよい。さらに、ＳＰ２の下で発見されおよび追加される各々およびすべてのＢｌｕｅｔｏｏｔｈ（登録商標）デバイスのための、これら２つのＣＯＭポートは、例えば同じブランドかつモデルの２つのＵＳＢドングルのためであってさえも、すべての他のＢｌｕｅｔｏｏｔｈ（登録商標）のノードから区別される。言い換えると、パーソナルエリアネットワークが、セル電話、ＰＤＡ、キオスク、および他のコンピュータを２０台備える場合には、４０の異なるインカミングおよびアウトゴーイングのＣＯＭポートの組み合わせを、把握することを強いられる。
【００１２】
プロセスが非常に複雑で、面倒で、混乱させるものであるので、コンピュータと、またはコンピュータ間のＢｌｕｅｔｏｏｔｈ（登録商標）の接続性が、決して受け入れられなかったということは少しも不思議ではない。本発明の発明者およびその会社は、新規かつ所有のシステムを開発し、該システムは、Ｂｌｕｅｔｏｏｔｈ（登録商標）の接続性および使用に対して現在あるバリアの全てを克服するハードウェアおよびソフトウェアを含み、何百万ものコンピュータ間、ならびに何億ものモバイルフォン、ＰＤＡ、および他のコンピュータ間の無線ポータルを開く潜在能力を有する。
【００１３】
ボタンまたはアイコンのクリックで数秒間のドライバーインストレーションにより、以下で説明されるハードウェアは、そのホストコンピュータに接続され、発見しまたはリモートのＢｌｕｅｔｏｏｔｈ（登録商標）デバイスによって発見される準備が整う。本出願において開示されるＡｄｖａｎｃｅｄ  ＢｌｕｅＫｅｙ（登録商標）（ＡＢＫ）デバイスは、マスタとスレーブとの両方のために１つだけのＣＯＭポートを占有し、かつその同じ１つだけのＣＯＭポートを、そのホストに接続される各々および全てのＢｌｕｅＫｅｙ（登録商標）デバイスのために占有する。
【００１４】
発見の完了により、転送すべきデータを選択することおよび「適用」をクリックすることによって、印刷、ビュー、編集、実行すること、またはファイル、フォルダ、音楽、写真、アルバム、ｅメール、もしくはプレゼンテーションを共有することを、各端末上のメニュー駆動のＢｌｕｅＫｅｙ（登録商標）アプリケーションソフトウェアは、ユーザに可能とし、それは、今日のあらゆる公知のＢｌｕｅｔｏｏｔｈ（登録商標）のオペレーションよりも何倍も簡単なプロセスである。
【発明の開示】
【課題を解決するための手段】
【００１５】
（要旨）
それは、歴史上最も成功しかつ広く生産される技術規格のうちの１つであるが、何百万ものコンピュータ、セル電話、ＰＤＡ、および他のデバイスを接続すべきその約束を、Ｂｌｕｅｔｏｏｔｈ（登録商標）は未だに果たしていない。２００５年には３億台が出荷され、２００８年までに１０億台が出荷される見通しであるが、Ｂｌｕｅｔｏｏｔｈ（登録商標）の途方もない成長の背後にある原動力のほとんどは、無線のマウス、キーボードおよび特にモバイル電話技術のためのコードレスのような周辺機器のための、ケーブルの代替だけから来ている。
【００１６】
１９９０年代末期のその開始から今日に至るまで、１０ｍまたは１００ｍのパーソナルエリアネットワークスペース内で、コンピュータ、キオスク、ハンドヘルド製品、および他のデバイスに、簡単なアドホック接続をするために、ユーザに力を与えるべきＢｌｕｅｔｏｏｔｈ（登録商標）の約束は、果たされていないままである。不安定かつ複雑なソフトウェア、肥大化したインストーラ、およびユーティリティの形で提供するものがほとんどないために、Ｂｌｕｅｔｏｏｔｈ（登録商標）の接続性は、平均的なユーザの能力および忍耐を超えた問題を残している。
【００１７】
本明細書において開示される例示的な実施形態は、広く行きわたったＢｌｕｅｔｏｏｔｈ（登録商標）の使用および受け入れに対するバリアの大半がいかにして克服されるかを説明するが、それは、Ｂｌｕｅｔｏｏｔｈ（登録商標）の地位を常に想定されていた重要な接続性ツールとして考えることを可能とする。
【００１８】
本発明の発明者およびその会社によって開発された所有のアプリケーションおよび通信ソフトウェアを一緒に用いて、開示されるシステムおよびデバイスは、広く行きわたったＢｌｕｅｔｏｏｔｈ（登録商標）の接続性に対するバリアのすべてを実質的に排除する。
【００１９】
本発明は、さらに以下の手段を提供する。
（項目１）  
ホストシステムとターゲットシステムとの間の無線通信をサポートする通信デバイスであって、該通信デバイスは、
該ホストシステムのバーチャルな通信ポートを介してデータ信号を交換するホストアダプタであって、該ホストアダプタは該データ信号とシリアルデータ信号との間の転換をサポートする、ホストアダプタと、
該ホストアダプタを用いて該シリアルデータ信号を交換する無線トランシーバであって、該無線トランシーバは、該ホストアダプタから受信した該シリアルデータ信号を、該ターゲットシステムに対するブロードキャストのためのアウトゴーイング無線通信信号に転換し、かつ該ターゲットシステムから受信したインカミング無線通信信号を、該ホストアダプタに対する伝送のための該シリアルデータ信号に転換する、トランシーバと
を備え、
該ホストアダプタは、該ホストシステムと結合されたときに、ハードウェアファイヤウォールとして動作し、該無線トランシーバを該ホストシステムのオペレーティングシステムに対して見えなくする、通信デバイス。
（項目２）  
上記通信デバイスは、上記ホストシステムのユニバーサルシリアルバス（ＵＳＢ）通信ポートと結合し、該ホストシステムの上記データ信号は、ＵＳＢデータ信号を包含する、項目１に記載の通信デバイス。
（項目３）  
上記ホストアダプタは、上記ＵＳＢデータ信号と上記シリアルデータ信号との間における転換をサポートするＵＳＢツーシリアルアダプタを含む、項目２に記載の通信デバイス。
（項目４）  
上記ホストアダプタは、上記ホストシステムのための複数のバーチャルな通信ポートを提供する、項目１に記載の通信デバイス。
（項目５）  
上記ホストシステムに対するすべての通信機能は、上記バーチャルな通信ポートを介して実行される、項目１に記載の通信デバイス。
（項目６）  
上記無線トランシーバは、ラジオ周波数通信と赤外線通信とから成るグループから選択される無線通信をサポートする、項目１に記載の通信デバイス。
（項目７）  
上記ラジオ周波数通信は、Ｂｌｕｅｔｏｏｔｈ（登録商標）規格に従うラジオ周波数通信を包含する、項目６に記載の通信デバイス。
（項目８）  
通信ハブをさらに備え、上記ホストアダプタは、該通信ハブを介して上記ホストシステムと通信する、項目１に記載の通信デバイス。
（項目９）  
上記通信ハブは、上記ホストアダプタおよび上記無線トランシーバと、少なくとも部分的には一体化される、項目８に記載の通信デバイス。
（項目１０）  
メモリカードリーダーをさらに備え、該メモリカードリーダーは、上記通信ハブを介して上記ホストアダプタと通信する、項目８に記載の通信デバイス。
（項目１１）  
上記メモリカードリーダーは、セキュアデジタルカードリーダーを備える、項目１０に記載の通信デバイス。
（項目１２）  
上記メモリカードリーダーは、大容量の記憶能力を有するリムーバブルメモリカードに適応する、項目１０に記載の通信デバイス。
（項目１３）  
上記メモリカードリーダーは、上記ホストアダプタおよび上記無線トランシーバと、少なくとも部分的には一体化される、項目１０に記載の通信デバイス。
（項目１４）  
読み取り専用メモリ（ＲＯＭ）システムをさらに備え、該ＲＯＭシステムは、上記通信ハブを介して上記ホストアダプタと通信する、項目８に記載の通信デバイス。
（項目１５）  
上記ＲＯＭシステムは、固定フラッシュアップグレード可能ＲＯＭシステムを備える、項目１４に記載の通信デバイス。
（項目１６）  
上記ＲＯＭシステムは、上記通信デバイスのためのアプリケーションソフトウェアを格納する、項目１４に記載の通信デバイス。
（項目１７）  
上記ＲＯＭシステムは、上記ホストアダプタおよび上記無線トランシーバと、少なくとも部分的には一体化される、項目１４に記載の通信デバイス。
（項目１８）  
上記ホストアダプタは高速ホストアダプタを備え、上記無線トランシーバは高速無線トランシーバを備える、項目１に記載の通信デバイス。
（項目１９）  
上記高速無線トランシーバは、Ｂｌｕｅｔｏｏｔｈ（登録商標）規格およびウルトラワイドバンド（ＵＷＢ）規格から成るグループから選択される規格に従う高速無線通信をサポートする、項目１８に記載の通信デバイス。
（項目２０）  
上記高速ホストアダプタは、上記ホストシステムの上記オペレーティングシステムに対して、ＵＳＢ端末デバイスのように見えるようにプログラムされるホストブリッジコントローラを含む、項目１８に記載の通信デバイス。
（項目２１）  
上記ホストブリッジコントローラは、上記高速無線トランシーバと少なくとも部分的には一体化される、項目２０に記載の通信デバイス。
（項目２２）  
上記高速ホストアダプタは、ホストツーホストブリッジコントローラを含み、該ホストツーホストブリッジコントローラは、第２のホストシステムをエミュレートするインターフェースシステムを介して上記無線トランシーバと通信し、その結果として、該ホストツーホストブリッジコントローラおよび該インターフェースシステムは、上記ハードウェアファイヤウォールのように動作し、該インターフェースシステムは、該ホストツーホストブリッジコントローラと該高速無線トランシーバとの間の上記シリアルデータ信号をチャネルし、その結果、該データ信号は、該インターフェースシステムと上記ホストシステムとの間で高速で交換されることができる、項目１８に記載の通信デバイス。
（項目２３）  
上記インターフェースシステムは、上記ホストツーホストブリッジコントローラおよび上記高速無線トランシーバと、少なくとも部分的には一体化される、項目２２に記載の通信デバイス。
（項目２４）  
上記無線トランシーバは、上記ホストアダプタと、少なくとも部分的には一体化される、項目１に記載の通信デバイス。
（項目２５）  
上記ホストアダプタおよび上記無線トランシーバは、集積回路の中に一体化される、項目２４に記載の通信デバイス。
（項目２６）  
ホストシステムとターゲットシステムとの間の無線通信をサポートする通信デバイスであって、該通信デバイスは、
該ホストシステムのバーチャルな通信ポートを介してＵＳＢデータ信号を交換するＵＳＢツーシリアルアダプタであって、該ＵＳＢツーシリアルアダプタは、該ホストシステムのＵＳＢ通信ポートと結合され、およびＵＳＢデータ信号とシリアルデータ信号との間の転換をサポートする、アダプタと、
該ＵＳＢツーシリアルアダプタを用いて該シリアルデータ信号を交換するシリアルＢｌｕｅｔｏｏｔｈ（登録商標）アダプタであって、該シリアルＢｌｕｅｔｏｏｔｈ（登録商標）アダプタは、該ＵＳＢツーシリアルアダプタから受信した該シリアルデータ信号を、アンテナシステムを介して該ターゲットシステムに対するブロードキャストのためのアウトゴーイングＢｌｕｅｔｏｏｔｈ（登録商標）通信信号に転換し、かつ該アンテナシステムを介して該ターゲットシステムから受信したインカミングＢｌｕｅｔｏｏｔｈ（登録商標）通信信号を、該ＵＳＢツーシリアルアダプタに対する伝送のための該シリアルデータ信号に転換する、アダプタと
を備え、
該ＵＳＢツーシリアルアダプタは、該ホストシステムと結合されたときには、ハードウェアファイヤウォールとして動作し、該シリアルＢｌｕｅｔｏｏｔｈ（登録商標）アダプタを、該ホストシステムのオペレーティングシステムに対して見えなくする、通信デバイス。
（項目２７）  
通信システムであって、
ユニバーサルシリアルバス（ＵＳＢ）通信ハブと、
ホストシステムとターゲットシステムとの間の高速無線通信をサポートする通信デバイスであって、該通信デバイスは、
該ホストシステムのオペレーティングシステムに対してＵＳＢ端末デバイスのように見えるようにプログラムされ、および該ホストシステムのバーチャルな通信ポートを介してＵＳＢデータ信号を高速データレートで交換する高速ＵＳＢホストブリッジコントローラであって、該高速ＵＳＢホストブリッジコントローラは、該ＵＳＢ通信ハブを介して該ホストシステムのＵＳＢ通信ポートと結合され、および該ＵＳＢデータ信号とシリアルデータ信号との間における転換をサポートする、高速ＵＳＢホストブリッジコントローラと、
該シリアルデータ信号を該高速ＵＳＢホストブリッジコントローラと交換する高速シリアルＢｌｕｅｔｏｏｔｈ（登録商標）アダプタであって、該高速シリアルＢｌｕｅｔｏｏｔｈ（登録商標）アダプタは、該高速ＵＳＢホストブリッジコントローラから受信した該シリアルデータ信号を、アウトゴーイング高速Ｂｌｕｅｔｏｏｔｈ（登録商標）通信信号に転換し、かつインカミング高速Ｂｌｕｅｔｏｏｔｈ（登録商標）通信信号を該高速ＵＳＢホストブリッジコントローラに対する伝送のための該シリアルデータ信号に転換する、高速シリアルＢｌｕｅｔｏｏｔｈ（登録商標）アダプタと、
該高速シリアルＢｌｕｅｔｏｏｔｈ（登録商標）アダプタと結合されるアンテナシステムであって、該アンテナシステムは、該ターゲットシステムに対してアウトゴーイング高速Ｂｌｕｅｔｏｏｔｈ（登録商標）通信信号をブロードキャストし、および該ターゲットシステムから受信したインカミング高速Ｂｌｕｅｔｏｏｔｈ（登録商標）通信信号を受信する、アンテナシステムと
を含む、通信デバイスと、
該通信デバイスのためのアプリケーションソフトウェアを格納し、および該ＵＳＢ通信ハブを介して該通信デバイスと通信する固定フラッシュアップグレード可能なＲＯＭと
を備え、
該高速ＵＳＢホストブリッジコントローラは、該ホストシステムと結合されたときに、ハードウェアファイヤウォールとして動作し、該高速シリアルＢｌｕｅｔｏｏｔｈ（登録商標）アダプタを、該ホストシステムのオペレーティングシステムに対して見えなくする、通信システム。
（項目２８）  
通信システムであって、
ユニバーサルシリアルバス（ＵＳＢ）通信ハブと、
第１のホストシステムとターゲットシステムとの間の高速無線通信をサポートする通信デバイスであって、該通信デバイスは、
該第１のホストシステムのバーチャルな通信ポートを介してＵＳＢデータ信号を交換する高速ＵＳＢホストツーホストブリッジコントローラであって、該ＵＳＢホストツーホストブリッジコントローラは、該ＵＳＢ通信ハブを介して該第１のホストシステムのＵＳＢ通信ポートと結合され、および該ＵＳＢデータ信号とシリアルデータ信号との間における転換をサポートする、高速ＵＳＢホストツーホストブリッジコントローラと、
第２のホストシステムをエミュレートし、および該ＵＳＢホストツーホストブリッジコントローラと高速シリアルＢｌｕｅｔｏｏｔｈ（登録商標）アダプタとの間の該シリアルデータ信号をチャネルする、インターフェースシステムであって、該シリアルＢｌｕｅｔｏｏｔｈ（登録商標）アダプタは、該ＵＳＢホストツーホストブリッジコントローラから受信した該シリアルデータ信号を、アウトゴーイング高速Ｂｌｕｅｔｏｏｔｈ（登録商標）通信信号に転換し、かつインカミング高速Ｂｌｕｅｔｏｏｔｈ（登録商標）通信信号を、該ＵＳＢホストツーホストブリッジコントローラに対して伝送するための該シリアルデータに転換する、インターフェースシステムと、
該シリアルＢｌｕｅｔｏｏｔｈ（登録商標）アダプタと結合されるアンテナシステムであって、該アンテナシステムは、該アウトゴーイング高速Ｂｌｕｅｔｏｏｔｈ（登録商標）通信信号を該ターゲットシステムにブロードキャストし、かつ該ターゲットシステムから受信した該インカミング高速Ｂｌｕｅｔｏｏｔｈ（登録商標）通信信号を受信する、アンテナシステムと
を含む、通信デバイスと
を備え、
該ＵＳＢホストツーホストブリッジコントローラおよび該インターフェースシステムは、該第１のホストシステムと結合されたときに、ハードウェアファイヤウォールとして動作し、該第１のホストシステムの該オペレーティングシステムに対して、該シリアルＢｌｕｅｔｏｏｔｈ（登録商標）アダプタを見えなくする、通信システム。
【００２０】
（摘要）
ホストシステムとターゲットシステムとの間の無線通信をサポートする通信デバイス、ならびにそれを製造および使用する方法。１つの好適な実施形態においては、通信デバイスは、ホストアダプタおよび無線トランシーバを含み得る。ホストシステムの通信ポートと結合されるときには、ホストアダプタは、ホストシステムの実質的な通信ポートを介してデータ信号を交換し、データ信号とシリアルデータ信号との間の転換をサポートする。無線トランシーバは、ホストアダプタから受信したシリアルデータ信号を、ターゲットシステムへのブロードキャストのためのアウトゴーイング無線信号に転換し、かつターゲットシステムから受信したインカミング無線信号を、ホストアダプタへの伝送のためのシリアルデータ信号に転換する。それによって、ホストシステムに結合されるときには、ホストアダプタは、ハードウェアファイヤウォールとして動作し、無線トランシーバを、ホストシステムのオペレーティングシステムに対して見えないようにする。
【発明を実施するための最良の形態】
【００２１】
（図面の詳細な説明）
図はスケールに従って描かれていないということ、および一般に、図面を通して同類の構造または機能は説明のために同じ参照番号よって表されるということが留意されなければならない。図は、本発明の好適な実施形態の説明を容易にすることだけを意図されているということにも留意されなければならない。図は、本発明の全ての局面を例示せずかつ本発明の範囲を限定するものではない。
【００２２】
図１は、一般的なＢｌｕｅｔｏｏｔｈ（登録商標）の構成を描くが、ユニバーサルシリアルバス（ＵＳＢ）ホストＩ／Ｏインターフェースセクション１は、一方ではコンピュータのようなＵＳＢホストからのおよびＵＳＢホストへのデータを変換し、他方ではプロセッサ／コントローラ２へのおよびプロセッサ／コントローラ２からのデータを変換し、該プロセッサ／コントローラは、Ｂｌｕｅｔｏｏｔｈ（登録商標）ＲＦモジュール４と、アンテナ５、ならびに内部メモリ格納のデバイスドライバ、プロトコル、および低レベルスタック機能３とのインターフェースをとるために、Ｂｌｕｅｔｏｏｔｈ（登録商標）ベースバンドモジュールとして作動する。このメモリは、ユーザには利用可能でない。
【００２３】
ＵＳＢ  Ｂｌｕｅｔｏｏｔｈ（登録商標）デバイスまたはこのようなドングルは、現在普及し使用されている。１つのそのようなＵＳＢ  Ｂｌｕｅｔｏｏｔｈ（登録商標）ドングルの例は、米国特許出願第２００２／０１５９４１９号Ａ１において見られ得る。
【００２４】
図２は、図２のホストインターフェースがＲＳ−２３２シリアル通信ポートを介することを除けば、図１のそれらに対応するエレメントを有する。従って、ホストＩ／Ｏインターフェース６は、ホスト側でＲＳ−２３２プロトコルを介して通信し、Ｂｌｕｅｔｏｏｔｈ（登録商標）ＲＦモジュール９、アンテナ１０、ならびにデバイスドライバ、プロトコルおよび低レベルスタック８に接続するプロセッサ／コントローラ１７のために、すでに述べたように、入力および出力のデータを変換する。
【００２５】
図１のＵＳＢ  Ｂｌｕｅｔｏｏｔｈ（登録商標）ドングルのような普及した使用ではないが、多くの会社がこのようなシリアルＢｌｕｅｔｏｏｔｈ（登録商標）デバイスを製造し販売している。１つの例は、ｗｗｗ．ｓｏｃｋｅｔｃｏｍ．ｃｏｍのＳｏｃｋｅｔ  Ｃｏｍｍｕｎｉｃａｔｉｏｎｓからの「Ｃｏｒｄｌｅｓｓ  Ｓｅｒｉａｌ  Ａｄａｐｔｅｒ  ｗｉｔｈ  Ｂｌｕｅｔｏｏｔｈ（登録商標）  Ｗｉｒｅｌｅｓｓ  Ｔｅｃｈｎｏｌｏｇｙ」である。
【００２６】
図３は、Ｂｌｕｅｔｏｏｔｈ（登録商標）モジュール１２およびＢｌｕｅｔｏｏｔｈ（登録商標）アンテナ１２Ａを含むモバイル／セル電話１１を示す。現在までに最も普及したＢｌｕｅｔｏｏｔｈ（登録商標）テクノロジの使用は、このような、コードレスＢｌｕｅｔｏｏｔｈ（登録商標）ヘッドセット１３およびアンテナ１３Ａを有するモバイル電話を含む。
【００２７】
この無線ヘッドセットケーブル置換えモデルは、モバイル電話とそのコードレスヘッドセットとの間を行きつ戻りつする双方向オーディオデータを通すために、Ｂｌｕｅｔｏｏｔｈ（登録商標）ヘッドセットプロファイルを頼りにするが、それは、本明細書において開示されるのと同じＢｌｕｅｔｏｏｔｈ（登録商標）発見プロファイルを頼りとすることにも似ている。
【００２８】
そのようなＢｌｕｅｔｏｏｔｈ（登録商標）によって可能化されるモバイル電話における起動のために、活動しているかまたは存在している別のプロファイル、すなわち、本明細書において開示されるシリアルポートプロファイルが、同じく重要である。
【００２９】
図４は、図３のより一般的なセル電話とは違いＢｌｕｅｔｏｏｔｈ（登録商標）によって可能化されるＰＤＡまたは「スマートフォン」１４を描く。このデバイスは、リモートのＢｌｕｅｔｏｏｔｈ（登録商標）モジュール１７およびそのアンテナ１８への通信リンクを有する、Ｂｌｕｅｔｏｏｔｈ（登録商標）モジュール１５およびＢｌｕｅｔｏｏｔｈ（登録商標）アンテナ１６も含む。図４のＰＤＡまたはスマートフォンにおけるＢｌｕｅｔｏｏｔｈ（登録商標）は、図３におけるように、コードレスヘッドセットの作動のために、同じように使用され得るが、端末または周辺のデバイス１９にあたかも接続しているかのようである。コンピュータは端末デバイスの一例であり、一方で周辺デバイスはキーボード、マウスおよびプリンタを含む。
【００３０】
ＰＤＡおよびスマートフォンは、アクティブに機能するシリアルポートプロファイルと共に、Ｂｌｕｅｔｏｏｔｈ（登録商標）仕様の発見および他のプロファイルを有していることに非常に似ている。結果として、そのようなデバイスは、本明細書で開示される特徴の優れた候補である。Ｂｌｕｅｔｏｏｔｈ（登録商標）によって可能化されるデバイスのＰａｌｍ（登録商標）ファミリは、開示される実施形態を用いてすでに機能しており、そのファミリは、Ｐａｌｍ  Ｚｉｒｅ  ７２  ＰＤＡおよびＴｒｅｏ  ６５０スマートフォンを含む。
【００３１】
図５は、通信デバイスおよびアクセス可能なメモリを単一のフォームファクタの中に組み合わせた１つの好適な実施形態の概略のブロック図である。この実施形態においては、プロセッサ／コントローラ２０は、メモリが、デバイスドライバ、低レベルスタックおよびプロトコルの機能のために割当てられる低レベルメモリエリア２１、ならびにアプリケーションおよびユーザストレージのために利用可能なメモリを有する高レベルメモリエリア２２と通信する。低レベル機能およびアプリケーションに割当てられるメモリは、アップグレードおよび修正のために、任命された者によってアクセス可能であり得るが、これらのエリアを消去または修正するユーザ能力は、様々な公知の手段によって秘密にされまたは防護され得る。
【００３２】
他方で、フラッシュまたは他の読取り書き込み型における指定されたメモリは、再利用可能ストレージを提供するために、完全なユーザアクセス可能であり得る。フラッシュの他に、読取り専用メモリ、ファームウェアまたは不揮発性メモリが、ドライバおよび低レベルプロトコルソフトウェア、インストレーションソフトウェアおよびユーザアプリケーションとしてのそのような機能のために、使用され得る。メモリの一部分は、パスワードまたはエントリーセキュリティのような便益をユーザに提供する。
【００３３】
プロセッサ／コントローラ２０は、通信リンク２４を介してデジタル情報を交換するために必要なコンポーネントを組み込むリンクＩ／Ｏインターフェース２３を用いて、同じように通信する。仮特許出願に従うと、リンク２４を介するインターフェース２３からの通信は、ラジオ周波数（ＲＦ）、赤外線（ＩＲ）、ケーブルまたは他の公知の通信手段を介し得る。ホストＩ／Ｏインターフェース２５は、コンピュータまたは他のデジタルデバイスであり得るホストデバイスを用いて、メモリおよびプロセッサ／コントローラ２０からのリンクデータを、インターフェースのために変換する。
【００３４】
図６は、相互接続され、かつ単一のＵＳＢドングルフォームファクタ４６に一体化された、３つの分離したＵＳＢデバイスを描く。Ｂｌｕｅｔｏｏｔｈ（登録商標）ＵＳＢデバイス２６（図１参照）は、アンテナ２７を介してＲＦ信号を送受信し、かつＵＳＢハブ２９へのＵＳＢ接続２８も有する。ＵＳＢメモリデバイス３０は、低レベルと高レベルとの両方のアプリケーションのためのメモリスペースを含み、ユーザストレージのためのアクセス可能なさらなるメモリも含み得る。ＵＳＢハブ２９は、ＵＳＢ接続３１を介してメモリデバイス３０に接続される。ＵＳＢハブ２９は、ホストコンピュータまたは他のデバイスとのインターフェースをとる。
【００３５】
図６における相互接続されたデバイスの動作は、ＵＳＢ  Ｂｌｕｅｔｏｏｔｈドングル、ＵＳＢストレージドングルおよびＵＳＢハブを、ＵＳＢのコネクタおよびケーブルを用いて接続するものと識別できないが、図６のデバイスは、以下の図９Ｂにおいて描かれるフォームに似た単一のＵＳＢドングル４６内でごく近接して取り付けられるということが理解される。使用される唯一のＵＳＢコネクタはハブ２９の出力に見られる。
【００３６】
図７は、図５のＢｌｕｅｔｏｏｔｈ（登録商標）デバイスの別の代替的な実施形態を示す例示的なトップレベルの図である。図７に示されるように、トランスレータ／コンバイナ３３は、１）コネクション３４を介してアンテナ３６に接続されたＢｌｕｅｔｏｏｔｈデバイス３５と、２）コネクション３７を介して、低レベルおよび高レベルのアプリケーションを含むメモリデバイス３８と、３）ＵＳＢコネクタ５４を介してホストデバイスと通信する。
【００３７】
このケースにおいては、トランスレータ／コンバイナ３３は、Ｂｌｕｅｔｏｏｔｈとメモリモジュールとの両方からの信号のトランスレータまたはプロセッサとして、様々な働きをし得、どんな型からでも組み合わされたＵＳＢストリームへ、事実上のハブの様にそれらを変換する。
【００３８】
図８は、図７の特定の実施形態であり、トランスレータ／コンバイナ６０は、１）接続５７を介してケーブルリンクへのＲＳ−２３２出力コネクタを有するシリアルデバイスであるシリアルＩ／Ｏデバイス５６と、２）接続５９を介して低レベルと高レベルとの両方のアプリケーションを組み込むメモリデバイス５８と、および３）ＵＳＢコネクタ５５を介してホストデバイスに通信する。全てのデバイスおよび回路モジュールは、ＵＳＢフォームファクタ６１に一緒に収納される。
【００３９】
図９は、図７の別の特定の実施形態を示し、トランスレータ／コンバイナ６７は、１）接続６４を介してＩＲトラスシーバ６３からの信号を順に送受信する赤外線Ｉ／Ｏデバイス６２と、２）接続６６を介して低レベルと高レベルとの両方のアプリケーションを組み込むメモリデバイス６５と、および３）ＵＳＢコネクタ６８を介してホストデバイスに通信する。全てのデバイスおよび回路モジュールは、ＵＳＢフォームファクタ６９に一緒に収納される。
【００４０】
本明細書は、概してＢｌｕｅｔｏｏｔｈ（登録商標）の接続性および有用性に対する新規かつ独自の改良を有益に開示する。個々のおよび全体の特徴および改良は、以下で図を参照して検討される。
【００４１】
図１０Ａは、「Ａｄｖａｎｃｅｄ  ＢｌｕｅＫｅｙ（登録商標）」デバイスの１つの実施形態を描き、ＵＳＢホスト１４０はＵＳＢツーシリアルアダプタ１４１に接続する。ＵＳＢツーシリアルアダプタのためのＯＳドライバのインストレーションは、ホストデバイス上にバーチャルＣＯＭポートを生成し、それは、Ｗｉｎｄｏｗｓ（登録商標）９８、９８ＳＥ、ＭＥ、２０００、ＸＰのＨｏｍｅもしくはＰｒｏｆｅｓｓｉｏｎａｌ、またはＶｉｓｔａの様々なエディション（バージョン、イテレーション）上でのパーソナルコンピュータの動作であり得る。
【００４２】
ＵＳＢツーシリアルアダプタ１４１の入りおよび出のデータは、接続１４２を介してシリアルＢｌｕｅｔｏｏｔｈ（登録商標）のデバイスまたはモジュール１４３に接続し、それは、ＲＳ−２３２物理層データとは対照的にセクション間に論理レベルのシリアルデータを通す。言い換えると、ＲＳ−２３２のドライバ回路、インターフェースまたはコンバータは、図１０Ａに示されるデバイスの動作のためには必要でない。
【００４３】
シリアルＢｌｕｅｔｏｏｔｈ（登録商標）デバイス１４３からのデータ変調されたＲＦ出力は、Ｂｌｕｅｔｏｏｔｈ（登録商標）アンテナ１４４に接続され、それは、選択されるＢｌｕｅｔｏｏｔｈ（登録商標）送信機のクラスに依存して、約１０メートルから約１００メートル外向きに放射する。図１０Ａの回路網は、以下の図１２においてより詳細に見られる。
【００４４】
図１０Ａに描かれるデバイスのインストレーションが完了し、かつ利用可能なＵＳＢポートへのその挿入の後に、現在好適なＰｒｏｌｉｆｉｃ  ＴｅｃｈｎｏｌｏｇｉｅｓからのＰＬ−２３０３Ｘ集積回路のような、新たなＵＳＢシリアルデバイスを、ホストコンピュータが認識する。この構成においては、Ｗｉｎｄｏｗｓ（登録商標）または他のオペレーティングシステムからの「詮索好きな目」からシリアルＢｌｕｅｔｏｏｔｈ（登録商標）デバイスを取り除き、ＵＳＢシリアルデバイスは、ハードウェアファイヤウォールとして効果的に役割を果たす。
【００４５】
ドングルのＢｌｕｅｔｏｏｔｈ（登録商標）部分のためのシールドとしてのＵＳＢシリアルデバイスのこの新規な使用は、今のＢｌｕｅｔｏｏｔｈ（登録商標）接続性技術に対していくつかの重要な利点および改良をもたらす。
【００４６】
１．上で開示されたＵＳＢがホストされたＢｌｕｅｔｏｏｔｈ（登録商標）ドングルは、小さな、１．６ＭＢのインストーラから数秒でインストールする。代表的なＷｉｄｃｏｍｍ（登録商標）ＵＳＢ−Ｂｌｕｅｔｏｏｔｈ（登録商標）インストーラは、１０倍〜２０倍大きく、インストールのために１０倍〜２０倍の時間を要する。
【００４７】
２．この実施形態のインストーラは、コンピュータのリスタートを要求しないが、一方で、Ｗｉｄｃｏｍｍ（登録商標）インストーラは一般に必要とする。
【００４８】
３．現在ところ、Ａｄｖａｎｃｅｄ  ＢｌｕｅＫｅｙ（登録商標）（ＡＢＫ）デバイスが接続されたときだけに、この実施形態のインストーラは、ホストコンピュータ上に１つだけバーチャルＣＯＭポートを生成する。Ｗｉｄｃｏｍｍ（登録商標）インストーラは、一般に、１１個のＣＯＭポート、およびＵＳＢ  Ｂｌｕｅｔｏｏｔｈ（登録商標）ドングルが接続されているか否かにかかわらずホストコンピュータ上に永久に残る、多くの他の人工物を生成する。
【００４９】
４．Ｖｉｓｔａは、新しいＷｉｎｄｏｗｓ（登録商標）コンピュータと一緒に現在出荷されているＯＳのバージョンである。Ｖｉｓｔａおよびより新しいＸＰマシンは、ＵＳＢ  Ｂｌｕｅｔｏｏｔｈ（登録商標）デバイスを認識する事前インストールされたドライバーセットを有し、その結果、それはＣＯＭポートの信じられないくらい複雑な階層を強制し、遭遇した各々かつ全てのリモートのＢｌｕｅｔｏｏｔｈ（登録商標）デバイスに対して、１つの「出」（マスタ）および１つの「入」（スレーブ）を強いる。例えば２０個のＢｌｕｅｔｏｏｔｈ（登録商標）デバイスを持参してアドホックな接続をする旅行者は、４０個の別個のＣＯＭポートに注意を払うことを強いられる。
【００５０】
５．対照的に、例示的なＡＢＫデバイスは、動作がマスタまたはスレーブのモードであるか否かにかかわらず、およびそれが接続するリモートのＢｌｕｅｔｏｏｔｈ（登録商標）デバイスが何であるかにかかわらず、１つだけのＣＯＭポートを生成する。ＣＯＭ５がＡＢＫの初期ＣＯＭポートである場合には、接続開始または被発見の送信であるか受信であるかにかかわらずそのポートのままである。
【００５１】
６．Ｗｉｎｄｏｗｓ（登録商標）Ｖｉｓｔａおよび最近のＸＰバージョンは、従来のＵＳＢ  Ｂｌｕｅｔｏｏｔｈ（登録商標）ドングルを検出したときには、壊滅的以上でさえあることをする。２つのこれらのコンピュータが接続し通信しようとすると、該ＯＳがＢｌｕｅｔｏｏｔｈ（登録商標）の動作を効果的に「ハイジャック」し、ＣＯＭポート接続を認めず、Ｗｉｎｄｏｗｓ（登録商標）ネイティブの貧弱なファイル転送ユーティリティを除き、どんな手段によってもその後のデータ交換を認めない。
【００５２】
７．しかし、これらのコンピュータの１つであってもＡＢＫデバイスの本発明の実施形態をホストしていれば、そのデバイスのＢｌｕｅｔｏｏｔｈ（登録商標）部分は、Ｗｉｎｄｏｗｓ（登録商標）によって発見されない。結果的に、そのコンピュータ上のＢｌｕｅｔｏｏｔｈ（登録商標）サービスはハイジャックされ得ず、ＢｌｕｅＫｅｙ（登録商標）アプリケーションはそれぞれ実行し続け得る。
【００５３】
ＡＢＫがゲストコンピュータにインストールされた場合には、デバイスが接続を解除されたときには迷惑な人工物は残らない。さらに、本発明者およびその会社によって設計されたＢｌｕｅＫｅｙ（登録商標）アプリケーションは、リムーバブルストレージデバイスから実行し得、ゲストコンピュータにその痕跡を残さない。
【００５４】
本明細書に開示されるＡＢＫの例示的な実施形態は、全てのＢｌｕｅｔｏｏｔｈ（登録商標）プロファイルのうちで最も一般的かつ普及している、シリアルポートプロファイル（ＳＰＰ）上で実行する。結果として、大半のＢｌｕｅｔｏｏｔｈ（登録商標）によって可能化されるセル電話、ＰＤＡ、コンピュータ、および他のデバイスは、保証される。
【００５５】
図１０Ｂは、本発明者の会社によって作られたＡｄｖａｎｃｅｄ  ＢｌｕｅＫｅｙ（登録商標）デバイスのフォームファクタを図示する。このエンクロージャは、長さ２．７５インチ、幅０．７５インチおよび深さ０．３１２５インチの大きさのＵＳＢドングルに適合する。ＵＳＢコネクタを含む全体の長さは３．２５インチである。
【００５６】
図１１Ａは、図１０Ａにおけるそれらに加えたいくつかの特徴を有する別のＡｄｖａｎｃｅｄ  ＢｌｕｅＫｅｙ（登録商標）デバイスを示す。この構成においては、ＵＳＢホストデバイス１４６は、例の中では４ポート出力ハブであるＵＳＢハブ１４７に接続する。出力うちの２つの１５７、１５８は、ＵＳＢ雌コネクタにつながり得、ＡＢＫデバイスによって取り上げられたものの代わりを含む、何らかの使用のための少なくとも２つの余分のポートをユーザに与える。ＡＢＫデバイスは２つだけのハブ出力を要求するので、４ポートハブは２つのユーザポートを、６ポートハブなら４つのポート等を生じる。
【００５７】
ＵＳＢハブ１４７からの別のアウトプットは、図１０Ａで描写されるもののように、ライン１４８でＵＳＢシリアルアダプタ１４９に接続する。ＵＳＢシリアルアダプタは、上述の様に、シリアルＢｌｕｅｔｏｏｔｈ（登録商標）デバイス１５１およびそれからアンテナ１５２へと順に接続する。事実、１４８から１５１までのブロック図は、図１０Ａで明らかにされたものとまさしく同じである。
【００５８】
ＵＳＢハブ１４７からの接続１５３は、ＳＤ（Ｓｅｃｕｒｅ  Ｄｉｇｉｔａｌ）カードリーダー１５４につながり、該リーダーはさらに１５５を介してリムーバブルＳＤカード１５６に接続する。このセクションは、前開示の図６において特定されるＵＳＢメモリ３０にいくらか類似するが、それは、リムーバブルでありかつユーザが選択可能なメモリサイズであるという異なる利点を有する。言うまでも無く、ＳＤ以外のカード規格が選択され得、適切なリーダー回路と置換され得る。同様に、デバイスは複数のリムーバブルメモリカード規格に適応し得る。
【００５９】
以下は、図１０Ａの下で説明された７つの改良に加える、図１１Ａの実施形態の特徴と便益である。
【００６０】
１．このＡｄｖａｎｃｅｄ  ＢｌｕｅＫｅｙ（登録商標）バージョンは、ＵＳＢハブを含み、それが占有するＵＳＢポートに置き換わるだけでなく、どんな使用であろうとそのために１つ以上のさらなるＵＳＢポートをユーザに提供する。
【００６１】
２．リムーバブルメモリカードはＳＤカード産業によって開発されるさらに大きなメモリサイズを有するが、このＡＢＫバージョンは、１６ＭＢと８ＧＢとの間の任意の所望のサイズのリムーバブルメモリカードに適応するためのビルトインＳＤカードリーダーを有する。
【００６２】
３．ＳＤカード規格は、すべてのリムーバブルメモリ規格の中で最も一般的に使用されている。これは、ユーザに陳腐化に対する保険を提供する傾向にある。さらに、同じリーダーは、すぐに利用可能なアダプタフレームを用いて、ＭＭＣ（マルチメディアカード）、ならびにより小さなミニおよびマクロのＳＤカードに直接的に適応する。
【００６３】
４．２および３の点ならびに他の理由から、ＳＤカードリーダーを使用することは、比較的安全かつ「将来保証」のメモリ規格を提供し、未来志向的である。
【００６４】
５．固定フラッシュのように、メモリの一部分は、デバイスの簡単インストールソフトウェア、ＢｌｕｅＫｅｙ（登録商標）アプリケーション、ＰａｌｍＯＳデバイスのためのＢｌｕｅＫｅｙ（登録商標）ポータルソフトウェアおよびユーザマニュアルを含むドキュメンテーションを含む。１ＧＢのカードについて、このデータは４ＭＢを含み、ユーザに利用可能な９９９，９９６ＭＢを残し得る。
【００６５】
６．ＳＤのようなリムーバブルメモリ媒体を使用することはまた、別の重要な特徴、すなわち、コンピュータ間で大量のデータを「スニーカーネット」する能力を、ユーザに開放する。言い換えると、このＡｄｖａｎｃｅｄ  ＢｌｕｅＫｅｙデバイスはまた、単にＳＤカードリーダーとしても働き得、それが接続されるどんなホストコンピュータまたはデバイスからのデータでも受信し、かつ該ホストコンピュータまたはデバイスに利用可能なデータを作る。
【００６６】
７．さらに、多数のハンドヘルドのセル電話、スマートフォンおよびＰＤＡは、ＳＤカードに適応するが、そのことは、そのＡＢＫリーダーから、例えばＰａｌｍ（登録商標）Ｚｉｒｅ  ７２  ＰＤＡまたはＴｒｅｏ  ６５０スマートフォンにＳＤカードを移すことを可能とする。これは、旅行者に必要なデバイスの数がより少なくなることを意味する。
【００６７】
８．このＡＢＫモデルのＳＤカードでは、旅行中に、彼ら自身のコンピュータデスクトップを任意のＷｉｎｄｏｗｓ（登録商標）ホスト上で複製することを旅行者に可能とするソフトウェアも可能であり、該ソフトウェアは、お気に入りのもの、ショートカット、ユーザ設定、ｅメールおよびウォールペーパを含む。これは、彼らのＢｌｕｅｔｏｏｔｈ（登録商標）を装備したスマートフォン（ＰＤＡまたはセル電話）以外のものを必要とせず、これらのＡＢＫデバイスのうちの１つだけを、旅行者が必要とするということを意味する。要望どおりに、旅行者のコンピュータを複製するソフトウェアは、フラッシュストレージ上に含まれ得る。そのような複製フォフトウェアの例は、ｈｔｔｐ：／／ｗｗｗ．ｍｉｇｏｓｏｆｔｗａｒｅ．ｃｏｍ／ｍｉｇｏｐｒｏｄｕｃｔｓ．ｐｈｐ．のＭｉｇｏによって作られる。
【００６８】
図１１Ｂは、図１１Ａで開示されるＡｄｖａｎｃｅｄ  ＢｌｕｅＫｅｙ（登録商標）デバイスのためのフォームファクタを描く。長さは２．４インチ（ＵＳＢプラグを含んで２．９インチ）であり、幅は１．６インチであり、深さは０．４インチである。その幅およびＳＤカードをアクセス可能に保つ必要から、このＡＢＫバージョンは、一般的に、２フィートまたは３フィートのＵＳＢ延長ケーブルを用いて使用される。
【００６９】
図１２は、図１０ＡのＡｄｖａｎｃｅｄ  ＢｌｕｅＫｅｙ（登録商標）デバイスの、１つの現時点において好適な実施形態を示す。図１０ＡのＵＳＢツーシリアルアダプタ１４１は、図１２の左側に概略の形式で示され、Ｊ１はホストコンピュータまたはデバイスへのＵＳＢ接続であり、Ｕ１は、Ｐｒｏｌｉｆｉｃ  Ｔｅｃｈｎｏｌｏｇｉｅｓ  ＰＬ−２３０３ＸのＵＳＢシリアルＩＣであり、Ｕ３は、５Ｖから３．３Ｖまでの電圧レギュレータチップである。
【００７０】
右側のより大きいＩＣのＵ２は、Ｎａｔｉｏｎａｌ  Ｓｅｍｉｃｏｎｄｕｃｔｏｒ  ＬＭＸ９８２０ＡシリアルＢｌｕｅｔｏｏｔｈ（登録商標）モジュールである。Ｕ１からのライン１、３、５および１１は、ＲＳ−２３２ドライバ、インターフェースまたは他の入出力回路網を必要とせず、論理レベルで直接的にＵ３のピンＣ９、Ｄ１１、Ｄ１０およびＣ１０に接続する。
【００７１】
Ｕ３のピンＨ７は、可変キャパシタＣ１１およびＣ１２を介して最大のＲＦ効率のために調整する適切な手段を有するアンテナがプリントされたボード上につながる。叙述されたそれら以外のＩＣおよび回路部分も、所望の結果を達成するために使用され得る。
【００７２】
図１３は、図１１Ａで検討されたより複雑なＡｄｖａｎｃｅｄ  ＢｌｕｅＫｅｙ（登録商標）デバイスの現時点で好適な実施形態を示す。Ｕ６は、ＮＥＣ，Ｉｎｃ．からのモデルＵＰＤ７２０１１４のＵＳＢ２．０ハブＩＣである。ＪＰ５およびＪＰ６がＵＳＢポートのための雌コネクタであるが、最も左のＪＰ４は、コンピュータまたは他のＵＳＢホストデバイスに接続する。
【００７３】
Ｕ６のピン２５およびピン２６は、Ｐｒｏｆｉｌｉｃ  ＴｅｃｈｎｏｌｏｇｉｅｓからのＰＬ−２５３３  ＳＤカードリーダー制御チップである、Ｕ７のピン３４およびピン３３に接続する。Ｕ７のピン２、ピン３、ピン４、ピン６、ピン７およびピン８は、ＳＤカードソケットＪ２に導く。
【００７４】
ＵＳＢハブＵ６のピン２８およびピン２９は、図１２のＵ１のピン５およびピン６にルートする（Ｊ１、ピン３およびピン２参照）。これは、その回路のＵＳＢシリアルアダプタ部分のＰＬ−２３０３Ｘ  ＩＣである。この点から、概略については図１２におけるそれと同様である。Ｎａｔｉｏｎａｌ  Ｓｅｍｉｃｏｎｄｕｃｔｏｒからの新しいＬＭＸ９８３０Ｂｌｕｅｔｏｏｔｈモジュールは、図１２または図１３のいずれかにおけるＬＭＸ９８２０の位置に適応され得る。該新しいチップは、低減されたサイズ、より速いスループットスピードおよびより低いコストを含む数々の利点を有する。
【００７５】
図１４は、図１１Ａの下で説明されたブロック図のより開放的かつ未来志向の形式であり、ＵＳＢホスト１６０は、６ＵＳＢポート出力で示される、ＵＳＢハブ１６１に接続する。これらのポートのうちの２つの１６２および１６３は、ユーザに対する汎用的な利用可能性のための雌ＵＳＢコネクタにつながり、ハブ１６１が６より多くのポートを受け入れる場合には、より多くのポートが、汎用的なユーザニーズに対して同様に供され得る。
【００７６】
図の一番下にあって、ライン１６８によって１つのハブ出力に接続されるのは、リムーバブルメモリモジュール１６９であり、それは、ＳＤカードまたはそれらの派生品、メモリスティック、コンパクトフラッシュ（登録商標）または多数の他のカードフォーマットのためのカードリーダーを備える。一部のカードリーダーＩＣは複数のカード規格に適応し、本発明においても用いられ得る。
【００７７】
ライン１６４に接続されるのは、ＵＳＢホストブリッジコントローラ１６５および高速ＵＳＢ  Ｂｌｕｅｔｏｏｔｈ（登録商標）モジュール１６６である。このペアの機能を上述のＢｌｕｅｔｏｏｔｈ（登録商標）デバイスから区別するためにいくらかの説明が必要である。ＵＳＢホストブリッジコントローラ１６５は、その仲間のＢｌｕｅｔｏｏｔｈ（登録商標）デバイスを分離しマスキングする有利を達成するために、Ｗｉｎｄｏｗｓ（登録商標）および他のコンピュータオペレーティングシステムに対して、コンピュータのようなＵＳＢ端末デバイスに見えるように、プログラムされる高速のコントローラまたはプロセッサである。
【００７８】
Ｗｉｎｄｏｗｓ（登録商標）からＢｌｕｅｔｏｏｔｈ（登録商標）をマスクする１つの回路は、パラグラフ４および５の、図１０Ａの下で説明されるＵＳＢシリアルアダプタである。この構成は、現在のＢｌｕｅｔｏｏｔｈ（登録商標）のスループットではうまく機能するが、それがシリアル通信技術であるということを認知するものに対してＷｉｎｄｏｗｓ（登録商標）によってもたらされる拘束のために、将来においてＢｌｕｅｔｏｏｔｈ（登録商標）のスピードが増大するにつれて厳しく制限されるであろう。
【００７９】
現在はそうではないが、将来においては、ホストコンピュータが端末デバイスへの高速ＵＳＢブリッジを認識したときには、それは、ＵＳＢ２．０の４８０Ｍｂｐｓスループットまたはさらなる高速を達成することに、利用可能なリソースを割当てるであろう。ＵＳＢホストブリッジコントローラ１６５は、送信、受信するように、および今日の速度を数オーダー上回る大きさでデータを送信するように設計される、高速ＵＳＢ  Ｂｌｕｅｔｏｏｔｈ（登録商標）モジュール１６６のためのＩ／Ｏ（入出力）コントローラとしても働く。高速ＵＳＢ  Ｂｌｕｅｔｏｏｔｈ（登録商標）モジュール１６６は、アンテナ１６７に接続し、その送信器クラスに応じて１０ｍまでまたは１００ｍまで機能する。
【００８０】
ブロック１６６は、とくに、ウルトラ広帯域（ＵＷＢ）能力がＢｌｕｅｔｏｏｔｈ（登録商標）規格に負荷されるような、現在市場にあるユニットの何倍ものデータスループットが可能なＵＳＢ  Ｂｌｕｅｔｏｏｔｈ（登録商標）モジュールの到来を予期している。セクション１６５のユニークなアーキテクチャは、コンピュータから高速ＵＳＢ  Ｂｌｕｅｔｏｏｔｈ（登録商標）モジュールへの高速能力を約束する。
【００８１】
ライン１７０を介してハブ１６１に接続されるのは、図１４の構成の中の別の特徴であり、すなわち、それもＵＳＢハブ１６１に付属する固定フラッシュアップグレード可能ＲＯＭ（読取り専用メモリ）モジュール１６９である。モジュール１７１の固定フラッシュメモリは、不可欠なＡＢＫインストールソフトウェア、ＢｌｕｅＫｅｙ（登録商標）および他のアプリケーション、ドキュメンテーション、ならびにかなりの可能性をもって将来のファームウェアのアクセスおよびアップグレードのための安全手段を含み得る。
【００８２】
図１４を構成するコンポーネントセクションの、全てではない場合にもその多くが、最大限可能なスループット、ロバストな物理的構成および最小のサイズを維持する一方で、大量生産におけるユニットコストを減らすために、たった１つの集積回路上に形態を有して製造され得るということが理解される。
【００８３】
図１５は、図１４の下で検討されたような高速ＵＳＢ  Ｂｌｕｅｔｏｏｔｈ（登録商標）モジュールをマスクするための、異なるハードウェア構成を描く。この繰り返しにおいては、ライン１７４は、図１４におけるＵＳＢハブからの接続１６４と同じである。ライン１７４は、図１４における１６１のように、ＵＳＢハブをＵＳＢホストツーホストブリッジコントローラ１７５に接続する。
【００８４】
コントローラ１７５は、現在のＢｌｕｅｔｏｏｔｈ（登録商標）デバイスの約１０００倍のスループットである、ＵＳＢ２．０の４８０Ｍｂｐｓまでのファイルおよびデータの転送速度のために、２つのコンピュータの間に高速ＵＳＢブリッジを形成するために設計されたＩＣである。そのようなチップの例は、Ｐｒｏｌｉｆｉｃ  Ｔｅｃｈｎｏｌｏｇｉｅｓによって作られるＰＬ−２５０１である。
【００８５】
コントローラ１７５は、新規なホストエミュレータおよびＩ／Ｏ回路１７６に接続される。このセクションの目的は２つある。第１は、エミュレータと実際のコンピュータであるＵＳＢホスト（図１４においてはライン１６０でＵＳＢハブ１６１を介する）との間を、高速のデータが流れ得るように、コントローラ１７５のもう１つの側に接続されるホストコンピュータのように見え、かつ振舞うことである。
【００８６】
第２は、回路１７６は、高速ＵＳＢ  Ｂｌｕｅｔｏｏｔｈ（登録商標）モジュール１７７の入りおよび出の高速データをチャネルする、Ｉ／Ｏ（入出力）機能の役割を果たす。このＩ／Ｏ機能においては、回路１７６は、ブリッジコントローラ１７５とＢｌｕｅｔｏｏｔｈ（登録商標）モジュール１７７との間のインターフェースとしての役割を果たす。高速ＵＳＢ  Ｂｌｕｅｔｏｏｔｈ（登録商標）モジュール１７７およびそのアンテナ１７８は、図１４の下で既に説明されたそれら（１６６、１６７）と同じである。
【００８７】
図１６は、図１０〜図１３において示される実施形態と関連して本明細書において開示される、Ａｄｖａｎｃｅｄ  ＢｌｕｅＫｅｙ（登録商標）デバイスの汎用な接続性を示す。サークル１８０は、ＡＢＫデバイスのような任意のものを表し、ＢｌｕｅＫｅｙ（登録商標）アプリケーションの能力を用いてホストコンピュータ１８１に接続される。
【００８８】
様々なＢｌｕｅｔｏｏｔｈ（登録商標）およびＢｌｕｅＫｅｙ（登録商標）で可能化される装置が、Ａｄｖａｎｃｅｄ  ＢｌｕｅＫｅｙ（登録商標）デバイスの時計回りに叙述され、全てがＡＢＫデバイス１８１およびそのホストコンピュータ１８１と即座に接続し得、ファイルおよびデータを交換し得る。
【００８９】
デバイス１８２は、上で開示されたＢｌｕｅＫｅｙ（登録商標）ドングルを有するコンピュータである。
【００９０】
デバイス１８３は、そのＯＳにＢｌｕｅＫｅｙ（登録商標）ソフトウェアを含むＢｌｕｅｔｏｏｔｈ（登録商標）が装備されたセル電話である。
【００９１】
デバイス１８４は、ＢｌｕｅＫｅｙ（登録商標）を有するキオスクである。そのようなキオスクは、写真を処理し編集し得、音楽、ビデオを販売しまたは任意の数の他の製品を売り得、ｅメール、インターネットの使用、印刷、編集またはどんなことであれそのためのプラットフォームを提供し得、可能性は無限である。
【００９２】
デバイス１８５は、ＢｌｕｅＫｅｙ（登録商標）を有するＢｌｕｅｔｏｏｔｈ（登録商標）が装備されたＰＤＡであり、それは、一般的に、ｅメール、アドレス情報、メモ、ドキュメント、支出レポートなどをＡＢＫホストに送信し得る。
【００９３】
デバイス１８６は、ＢｌｕｅＫｅｙ（登録商標）を有するＢｌｕｅｔｏｏｔｈ（登録商標）を装備したスマートフォンであり、それは、上の１８５での例に対するファイルおよびデータを転送し得、電話特有の機能の役割も果たし得る。
【００９４】
デバイス１８７は、一般のＢｌｕｅｔｏｏｔｈ（登録商標）能力を有するコンピュータであり、内部Ｂｌｕｅｔｏｏｔｈ（登録商標）モジュールまたは外部ＵＳＢのいずれを介するか、ＰＣカードまたはシリアルＢｌｕｅｔｏｏｔｈ（登録商標）ドングルのいずれを介するかを問わない。そのような「遺産」システムもＡＢＫに接続し得、ＢｌｕｅＫｅｙ（登録商標）を介して通信し得る。
【００９５】
デバイス１８８は、Ａｄｖａｎｃｅｄ  ＢｌｕｅＫｅｙ（登録商標）を有する第２のコンピュータである。明らかに、このデバイスは、同様に、ＡＢＫデバイス１８０およびそのコンピュータホスト１８１と接続し得、それらを共有し得る。
【００９６】
デバイス１８９は、１８７および１８８で示されるそれらの１つに似たコンピュータ、またはキオスクもしくは他のコンピュータ中心のシステムに接続され得る任意の型もしくはモデルの、ホストされたプリンタである。Ｂｌｕｅｔｏｏｔｈ（登録商標）直接プリンタを介するそのようなコンピュータにホストされた印刷には、２つのはっきりとした利点がある。あらゆるプリンタの９９．９９％がスタンドアロンではなくコンピュータによってホストされるということが最も重要であり、それは、ユーザがすでに有しているものがうまく機能するということを意味する。
【００９７】
次に、ＢｌｕｅＫｅｙ（登録商標）ホストアーキテクチャは分散処理を可能とし、それは、ファイル転送およびセットアップオペレーションがプリンタではなくコンピュータで行われるということを意味する。これは、今日のパーソナルコンピュータおよびプリンタのアーキテクチャの自然な流れに従うものであり、プリンタのコストはほとんどなく、コンピュータがほとんどの仕事をする。言い換えると、スタンドアロンのＢｌｕｅｔｏｏｔｈ（登録商標）プリンタはオンボード処理パワーを要し、それらのよりパッシブな対応物よりもはるかにコストを要するので、それらは市場において成功しなかった。
【００９８】
ブロック１９０は、メディアドライブ、ディスプレイモニタ、プロジェクタ、ゲームコンソール、製造ツール、ドローイングタブレットなど、任意の数の他の周辺デバイスを表す。プリンタ１８９のように、そのようなデバイスは、Ｂｌｕｅｔｏｏｔｈ（登録商標）が装備され、ＢｌｕｅＫｅｙ（登録商標）で可能化されるコンピュータホストを介して、それらの特化された機能を実行するように作られ得る。
【００９９】
本明細書において開示される様々な実施形態は、様々な修正および代替的な形態、ならびに図面において例示されおよび本明細書において詳細に説明される特定の例に、解釈可能である。しかしながら、本明細書で開示される様々な実施形態は、開示される特定の形態または方法に限定されるべきではなく、反対に、本発明は、特許請求の範囲の意図および範囲に入る全ての修正、均等物、および代替を包含するものである。
【図面の簡単な説明】
【０１００】
【図１】図１は、先行技術のＢｌｕｅｔｏｏｔｈ（登録商標）構成の実施形態を示す例示的なトップレベルのブロック図であり、ＵＳＢホストＩ／Ｏインターフェースセクションは、ＵＳＢホストからのデータおよびＵＳＢホストへのデータを変換する。
【図２】図２は、図１のＢｌｕｅｔｏｏｔｈ（登録商標）構成の代替的な実施形態であり、ＵＳＢホストＩ／Ｏインターフェースセクションは、ＲＳ−２３２シリアル通信ポートを介して通信する。
【図３】図３は、Ｂｌｕｅｔｏｏｔｈ（登録商標）モジュールおよびＢｌｕｅｔｏｏｔｈ（登録商標）アンテナを備える、先行技術のモバイル／セル電話の実施形態を示す例示的なトップレベルの図である。
【図４】図４は、図３のモバイル／セル電話の代替的な実施形態であり、モバイル／セル電話は、Ｂｌｕｅｔｏｏｔｈ（登録商標）によって可能化されるＰＤＡまたは「スマートフォン」を備える。
【図５】図５は、Ｂｌｕｅｔｏｏｔｈ（登録商標）デバイスの実施形態を示す例示的なトップレベルの図であり、Ｂｌｕｅｔｏｏｔｈ（登録商標）デバイスは、オンデバイスメモリシステムを含む。
【図６】図６は、図５のＢｌｕｅｔｏｏｔｈ（登録商標）デバイスの代替的な実施形態を示す例示的なトップレベルの図である。
【図７】図７は、図５のＢｌｕｅｔｏｏｔｈ（登録商標）デバイスの別の代替的な実施形態を示す例示的なトップレベルの図であり、Ｂｌｕｅｔｏｏｔｈ（登録商標）デバイスは、ＵＳＢホストシステムと通信するように構成される。
【図８】図８は、図７のＢｌｕｅｔｏｏｔｈ（登録商標）デバイスの代替的な実施形態を示す例示的なトップレベルの図であり、Ｂｌｕｅｔｏｏｔｈ（登録商標）デバイスは、ＲＳ−２３２通信リンクを介してシリアルＩ／Ｏデバイスと通信するように構成される。
【図９】図９は、図７のＢｌｕｅｔｏｏｔｈ（登録商標）デバイスの別の代替的な実施形態を示す例示的なトップレベルの図であり、Ｂｌｕｅｔｏｏｔｈ（登録商標）デバイスは、赤外線通信リンクを介して赤外線Ｉ／Ｏデバイスと通信するように構成される。
【図１０Ａ】図１０Ａは、「Ａｄｖａｎｃｅｄ  ＢｌｕｅＫｅｙ（登録商標）」デバイスの実施形態を示す例示的なトップレベル図であり、「Ａｄｖａｎｃｅｄ  ＢｌｕｅＫｅｙ（登録商標）」デバイスは、ＵＳＢホストにＵＳＢツーシリアルアダプタと接続することを可能とする。
【図１０Ｂ】図１０Ｂは、図１０ＡのＡｄｖａｎｃｅｄ  ＢｌｕｅＫｅｙ（登録商標）デバイスの好適なフォームファクタを示す例示的な詳細図である。
【図１１Ａ】図１１Ａは、図１０Ａ〜図１０Ｂの「Ａｄｖａｎｃｅｄ  ＢｌｕｅＫｅｙ（登録商標）」デバイスの代替的な実施形態を示す例示的なトップレベル図であり、「Ａｄｖａｎｃｅｄ  ＢｌｕｅＫｅｙ（登録商標）」デバイスは、ＵＳＢ通信ハブを介してＵＳＢホストと通信する。
【図１１Ｂ】図１１Ｂは、図１１ＡのＡｄｖａｎｃｅｄ  ＢｌｕｅＫｅｙ（登録商標）デバイスの好適なフォームファクタを示す例示的な詳細図である。
【図１２Ａ】図１２は、図１０Ａ〜図１０ＢのＡｄｖａｎｃｅｄ  ＢｌｕｅＫｅｙ（登録商標）デバイスの好適な実施形態を示す例示的な詳細図である。
【図１２Ｂ】図１２は、図１０Ａ〜図１０ＢのＡｄｖａｎｃｅｄ  ＢｌｕｅＫｅｙ（登録商標）デバイスの好適な実施形態を示す例示的な詳細図である。
【図１３Ａ】図１３は、図１１Ａ〜図１１ＢのＡｄｖａｎｃｅｄ  ＢｌｕｅＫｅｙ（登録商標）デバイスの好適な実施形態を示す例示的な詳細図である。
【図１３Ｂ】図１３は、図１１Ａ〜図１１ＢのＡｄｖａｎｃｅｄ  ＢｌｕｅＫｅｙ（登録商標）デバイスの好適な実施形態を示す例示的な詳細図である。
【図１４】図１４は、図１１Ａ〜図１１ＢのＡｄｖａｎｃｅｄ  ＢｌｕｅＫｅｙ（登録商標）デバイスの代替的な実施形態を示す例示的なトップレベル図である。
【図１５】図１５は、図１１Ａ〜図１１ＢのＡｄｖａｎｃｅｄ  ＢｌｕｅＫｅｙ（登録商標）デバイスの別の代替的な実施形態を示す例示的なトップレベル図であり、Ａｄｖａｎｃｅｄ  ＢｌｕｅＫｅｙ（登録商標）デバイスは、２つのコンピュータ間の高速ＵＳＢブリッジを形成するために、ＵＳＢホストツーホストブリッジコントローラ１７５をさらに含む。
【図１６】図１６は、図１０〜図１７のＡｄｖａｎｃｅｄ  ＢｌｕｅＫｅｙ（登録商標）デバイスの自在な接続性を示す例示的なトップレベル図である。
【符号の説明】
【０１０１】
１  ＵＳＢホストＩ／Ｏインターフェース
２、７  プロセッサ／コントローラ
３、８  デバイスドライバ、プロトコル、低レベルスタック
４、９  Ｂｌｕｅｔｏｏｔｈ（登録商標）ＲＦ
５、１０、１２Ａ、１３Ａ、１６、１８  アンテナ
６  シリアルホストＩ／Ｏインターフェース
１１  モバイル／セル電話
１２、１５、１７  Ｂｌｕｅｔｏｏｔｈ（登録商標）モジュール
１３  コードレスＢｌｕｅｔｏｏｔｈ（登録商標）ヘッドセット
１４  ＰＤＡまたは「スマートフォン」
１９  端末機または周辺機器
２０  プロセッサ／コントローラ
２１  デバイスドライバ、プロトコル、低レベルスタック
２２  利用可能なメモリ／アプリケーション
２３  リンクＩ／Ｏインターフェース（ＲＦ、Ｉｒ、シリアル、他）
２５  ホストＩ／Ｏインターフェース
２６  Ｂｌｕｅｔｏｏｔｈ（登録商標）ＵＳＢデバイス
２７、３６、１４４、１５２  アンテナ
２９、１４７、１６１  ＵＳＢハブ
３０  ＵＳＢメモリデバイス／アプリケーション
３３、６０、６７  トランスレータ／コンバイナ
３５  Ｂｌｕｅｔｏｏｔｈ（登録商標）デバイス
３８、５８、６５  メモリデバイス／アプリケーション
５６  ＲＳ−２３２シリアルＩ／Ｏデバイス
６２  赤外線Ｉ／Ｏデバイス
１４０  ＵＳＢホスト
１４１、１４９  ＵＳＢツーシリアルアダプタ
１４２  接続
１４３、１５１  シリアルＢｌｕｅｔｏｏｔｈ（登録商標）デバイス
１５４  ＳＤカードリーダー
１５６  ＳＤカード
１６５  ＵＳＢホストブリッジコントローラ
１６６、１７７  高速ＵＳＢ  Ｂｌｕｅｔｏｏｔｈ（登録商標）モジュール
１６９  リムーバブルメモリ（ＳＤカード、ＭＳ、他）
１７１  固定フラッシュアップグレード可能ＲＯＭ（アプリケーション、インストーラ、ドキュメンテーション）
１７５  ＵＳＢホストツーホストブリッジコントローラ
１７６  ホストエミュレータおよびＩ／Ｏ
１８０  Ａｄｖａｎｃｅｄ  ＢｌｕｅＫｅｙ（登録商標）デバイス
【図１】
2007280403.tif 000003
【図２】
2007280403.tif 000004
【図３】
2007280403.tif 000005
【図４】
2007280403.tif 000006
【図５】
2007280403.tif 000007
【図６】
2007280403.tif 000008
【図７】
2007280403.tif 000009
【図８】
2007280403.tif 000010
【図９】
2007280403.tif 000011
【図１０Ａ】
2007280403.tif 000012
【図１０Ｂ】
2007280403.tif 000013
【図１１Ａ】
2007280403.tif 000014
【図１１Ｂ】
2007280403.tif 000015
【図１２Ａ】
2007280403.tif 000016
【図１２Ｂ】
2007280403.tif 000017
【図１３Ａ】
2007280403.tif 000018
【図１３Ｂ】
2007280403.tif 000019
【図１４】
2007280403.tif 000020
【図１５】
2007280403.tif 000021
【図１６】
2007280403.tif 000022